(57)【要約】      （修正有）【課題】容易に安定して保持することができる肩掛ベルトを具備する農園芸用機械を提供する。【解決手段】動力部４、及び前記動力部４を基端として延伸する主軸部５を有する本体１と、本体１の主軸部５の先端に取り付けられ本体１の動力部４から動力の供給を受ける作業部材たる刈込部材２と、一端部側を本体１の第１のベルト取付部１ａに、他端部を本体１の第１のベルト取付部１ａとは異なる第２のベルト取付部１ｂに取着した肩掛ベルト３とを具備する農園芸用機械。【選択図】図１
2011239699.tif 000002
【特許請求の範囲】
【請求項１】
動力部、及び前記動力部を基端として延伸する主軸部を有する本体と、
前記本体の主軸部の先端に取り付けられ前記本体の動力部から動力の供給を受ける作業部材と、
一端部側を前記本体の第１のベルト取付部に、他端部を前記本体の第１のベルト取付部とは異なる第２のベルト取付部に取着した肩掛ベルトと
を具備することを特徴とする農園芸用機械。
【請求項２】
前記主軸部の先端に相異なる複数種の作業部のいずれかを選択的に取り付け可能である請求項１記載の農園芸用機械。
【請求項３】
前記肩掛ベルトの少なくとも一端部が前記本体に対して着脱可能である請求項１又は２記載の農園芸用機械。
【請求項４】
前記本体の主軸部が、動力部から延伸する駆動軸と、この駆動軸を内部に収納してなる管状の主杆とを具備する請求項１、２又は３記載の農園芸用機械。
【請求項５】
前記本体の前記第１及び第２のベルト取付部の間の部位に操作を行うべく把持するための把持部を設けている請求項１、２、３又は４記載の農園芸用機械。
【請求項６】
前記本体の動力部がバッテリモータを利用したものである請求項１、２、３、４又は５記載の農園芸用機械。
【発明の詳細な説明】
【技術分野】
【０００１】
本発明は、農園芸作業を行うときに作業者が携帯して使用する農園芸用機械に関する。
【背景技術】
【０００２】
従来より、動力部、及び前記動力部を基端として延伸する主軸部を有する本体と、本体の主軸部の先端に取り付けられ本体の動力部から動力の供給を受ける作業部材と、本体に設けたベルト取付部に取着してなる肩掛ベルトとを具備し、本体の動力部から作業部材に動力を供給して刈込作業等の作業を行う農園芸用機械が知られている。この種の農園芸用機械のベルトは、従来、その重心近傍となる本体の１箇所に肩掛ベルトの両端を接続する構成が採用されていた。
【０００３】
ところで、このように本体の１箇所に肩掛ベルトの両端を接続する構成では、農園芸用機械の使用時に本体の１箇所のみが支持された状態であるので、使用時にこの農園芸用機械を安定して保持することが容易でないという問題がある。
【０００４】
また、本体の先端に相異なる複数種の作業部材のいずれかを選択的に取り付け可能な農園芸用機械においては、農園芸用機械の重心の位置は取り付けた作業部材によって異なる。しかして、本体の１箇所に肩掛ベルトの両端を接続する構成では、肩掛ベルトと本体との接続箇所であるベルト取付部が重心から離間した位置となることがある。この点からも、使用時にこの農園芸用機械を安定して保持することが困難になることがあるという問題も起こりうる。
【先行技術文献】
【特許文献】
【０００５】
【特許文献１】特開２００９−２４０２０２号公報
【発明の概要】
【発明が解決しようとする課題】
【０００６】
本発明は、本体に設けたベルト取付部に取着してなる肩掛ベルトを具備する農園芸用機械をより容易に安定して保持させるようにすることを所期の目的とする。
【課題を解決するための手段】
【０００７】
すなわち本発明の農園芸用機械は、動力部、及び前記動力部を基端として延伸する主軸部を有する本体と、前記本体の主軸部の先端に取り付けられ前記本体の動力部から動力の供給を受ける作業部材と、一端部側を前記本体の第１のベルト取付部に、他端部を前記本体の第１のベルト取付部とは異なる第２のベルト取付部に取着した肩掛ベルトとを具備することを特徴とする。
【０００８】
このようなものであれば、ベルト取付部を本体の第１及び第２のベルト取付部に接続しているので、使用者の肩に掛けた状態で本体及び作業部材が複数箇所で支持される。従って、従来の本体の１箇所に肩掛ベルトの両端を接続する構成と比較して、使用時にこの農園芸用機械をより容易に安定して保持させることができる。
【０００９】
本発明のより好適な使用態様として、前記主軸部の先端に相異なる複数種の作業部のいずれかを選択的に取り付け可能であるものが挙げられる。このような態様においては、取り付けた作業部に対応して農園芸用機械の重心の位置が変化するが、上述したように肩掛ベルトを本体の第１及び第２のベルト取付部に接続していることにより本体は第１及び第２のベルト取付部を介して支持されるので、このような農園芸用機械を重心の位置にかかわらず安定して保持できるからである。
【００１０】
前記肩掛ベルトの少なくとも一端部が前記本体に対して着脱可能であるものであれば、緊急時に肩掛ベルトを取り外すことにより利用者を本体から離間させることができる。
【００１１】
このような農園芸用機械の構成の好適な一例として、前記本体の主軸部が、動力部から延伸する駆動軸と、この駆動軸を内部に収納してなる管状の主杆とを具備するものが挙げられる。
【００１２】
前記本体の前記第１及び第２のベルト取付部の間の部位に操作を行うべく把持するための把持部を設けているものであれば、取り付けた作業部に対応して把持部の把持位置を変更することにより、この農園芸用機械をさらに安定して保持させることができる。
【００１３】
前記本体の動力部がバッテリモータを利用したものであれば、従来広く用いられている小型エンジンを利用して本体の動力部を構成したものと比較して、使用時の騒音の低減を図ることができる。
【発明の効果】
【００１４】
本発明によれば、本体に設けたベルト取付部に取着してなる肩掛ベルトを具備する農園芸用機械において、ベルトを主軸部の複数箇所に接続しているので、使用者の肩に掛けた状態で主軸部が複数箇所で支持され、農園芸用機械をより容易に安定して保持させることができる。また、使用者が誤ってこの機械から手を離してしまった場合であっても、この機械が安定して保持されているので、使用者が危険にさらされることが少なくなる。
【図面の簡単な説明】
【００１５】
【図１】本発明の一実施形態に係る農園芸用機械を示す全体斜視図。
【図２】同実施形態に係るチェーンソーアタッチメントを示す全体斜視図。
【図３】同実施形態に係る作業部材の取付態様を示す分解斜視図。
【図４】同実施形態に係る農園芸用機械の要部を示す拡大斜視図。
【発明を実施するための形態】
【００１６】
以下、本発明の一実施形態を、図面を参照して説明する。
【００１７】
本実施形態に係る農園芸用機械である動力刈込機は、図１に示すように、動力部４、及び動力部４を基端として延伸する主軸部５を有する本体１と、前記本体１の主軸部５の先端に取り付けられ前記本体１の動力部４から動力の供給を受ける作業部材たる刈込部材２と、一端部側を本体１の第１のベルト取付部に、他端部を本体１の第１のベルト取付部とは異なる第２のベルト取付部に取着した肩掛ベルト３とを具備する。なお、モータ１１は本発明の動力源である。
【００１８】
具体的には、本体１は、動力源であるモータ４１、このモータ４１に電力を供給するバッテリ４２、及びモータ４１を収納するカバー４３を具備する動力部４と、当該動力部４のカバー４３を基端として延伸する主軸部５と、前記主軸部５の中間部に設けてなるハンドル６と、このハンドルよりも基端側に設けてなる把持部たるグリップ７とを具備する両手ハンドル型のものである。
【００１９】
動力部４は、上述したように、また、前記図１に示すように、前記動力源であるモータ４１と、このモータ４１に電力を供給するバッテリ４２と、前記モータ４１を収納するカバー４３とを有する。前記モータ４１は、後述する駆動軸５２に回転駆動力を出力する。そして、前記カバー４３を基端として主軸部５を延伸させて設けている。
【００２０】
前記本体１の主軸部５は、上述したように、また、前記図１、及び図３に示すように、基端部を前記動力部４のカバー４３に接続している管状の主杆５１と、この主杆５１の内部に収納してなり前記モータ４１から延伸する駆動軸５２とを収納してなる。また、この主軸部５の先端部には刈込部材２を設けている。さらに、これも上述したように、この主軸部５の中間部から左右両側にハンドル６を延伸させて設けている。
【００２１】
前記ハンドル６は、ループ状の部材であり、前記図１に示すように、前記主軸部５の中間部から該主軸部５の延伸方向に対して垂直に延伸するハンドル基部６１と、このハンドル基部６１の両端部間を接続するハンドル把持部６２とを有する。この動力刈込機の使用時には、作業者は一方の手でこのハンドル６のハンドル把持部６２を把持し、他方の手でグリップ７を把持するようにしている。
【００２２】
前記グリップ７には、前記モータ４１の電源スイッチとして機能する主電源スイッチ７１及びスイッチレバー７２を設けている。前記主電源スイッチ７１は、ＯＮ及びＯＦＦの２つの状態を選択的にとることができる。一方、前記スイッチレバー７２は、使用者が刈込動作を行うべくグリップ７を把持した際に操作力を受け、前記主電源スイッチ７１がＯＮである状態でこのスイッチレバー７２が操作力を受けた状態ではモータ４１を通電状態とし、その他の状態ではモータ４１を非通電状態とする。ここで、この動力刈込機の使用時には、一方の手でこのグリップ７、他方の手で上述したハンドル６を把持するようにしている。
【００２３】
刈込部材２は、図１に示すように、前記駆動軸５２を介して付与された動力によって相対的に往復直線運動することによって被切断物を切断する第１の刃と第２の刃とを組み合わせてなる刃部２１と、前記主軸部５の先端に位置し前記刃部２１を着脱可能に支持する取付部２２とを有するヘッジトリマーの刃として周知のものと同様の構成を有する。より具体的には、第１の刃は本体に対して突没方向に相対移動可能であり、回転運動を往復直線運動に変換する図示しない動作変換機構を介して前記駆動軸５２の回転駆動力を受ける。一方、第２の刃は本体１に対して固定している。そして、第１の刃が往復運動することによりこの第１の刃と第２の刃との間に位置する被切断物を切断するようにしている。なお、この刈込部材２に替えて、作業部材として種々の構成のものを採用することができる。例えば、回転刃を利用する刈払機の刃として周知の構成を有するものや、ナイロン製紐状体等、回転動作により刈払作業を行うことが可能なものを採用することができる。さらに、本実施形態では、他の作業部材である図２に示すようなチェーンソーアタッチメント９を主軸部５に取り付けることも可能である。このチェーンソーアタッチメント９の質量は、刈込部材２の質量と異なる。
【００２４】
しかして本実施形態では、肩掛ベルト３は、図１及び図４に示すように、一端部を本体１のグリップ７より基端側に位置する第１のベルト取付部１ａに接続しているとともに、他端部を本体１のグリップ７より先端側に位置する第２のベルト取付部１ｂに接続している。また、この肩掛ベルト３の中間部には、作業者の肩に当接させてなるパッド３１を設けている。
【００２５】
前記第１のベルト取付部１ａは、本体１に回転不能に取り付けられる基部１ａ１と、一端部をこの基部１ａ１に掛け回してなる補助ベルト１ａ２と、この補助ベルト１ａ２の他端部に接続され肩掛ベルト３の一端部に設けた第１の係止部３ａと係り合う被係止部１ａ３とを備えている。
【００２６】
一方、前記第２のベルト取付部１ｂは、本体１の軸回りに回転可能に取り付けられる基部１ｂ１と、一端部をこの基部１ｂ１に掛け回してなる補助ベルト１ｂ２と、この補助ベルト１ｂ２の他端部に接続され肩掛ベルト３の他端部に設けた第２の係止部３ｂと係り合う被係止部１ｂ３とを備えている。
【００２７】
ここで、第１及び第２のベルト取付部１ａ、１ｂには、肩掛ベルト３を本体１から取り外すための緊急離脱機構８を設けている。この緊急離脱機構８は、肩掛ベルト３を本体１から取り外すための操作を受け付ける操作部８１を有し、この操作部８１に操作が加えられた際に肩掛ベルト３の一端の係止部３ａと第１のベルト取付部１ａの被係止部１ａ３との係り合い、又は肩掛ベルト３の他端の係止部３ｂと第２のベルト取付部１ｂの被係止部１ｂ３との係り合いが解除される。
【００２８】
この農園芸用機械を使用する際には、使用者は、肩掛ベルト３を肩に掛け本体１のグリップ７を把持する。刈込部材２の使用時には主軸部５が前下方に延びるような姿勢をとるように支持する。一方、チェーンソーアタッチメント９の使用時には主軸部５が前方に延びるような姿勢をとるように支持する。このどちらの場合も、主軸部５は第１及び第２のベルト取付部１ａ、１ｂを介してベルト３により支持される。
【００２９】
以上に述べたように、本実施形態に係る農園芸用機械の構成によれば、肩掛ベルト３の両端部をそれぞれ本体１の第１及び第２のベルト取付部１ａ、１ｂに接続しているので、使用者の肩に掛けた状態で本体１が複数箇所で支持される。従って、従来の本体の１箇所に肩掛ベルトの両端を接続する構成と比較して、使用時にこの農園芸用機械をより容易に安定して保持させることができる。また、使用者が誤ってこの機械から手を離してしまった場合であっても、この機械が安定して保持されているので、使用者が危険にさらされることが少なくなる。
【００３０】
また、前記本体１の先端に作業部たる刈込部材２又はチェーンソーアタッチメント９のいずれかを選択的に取り付け可能であり、取り付けた作業部に対応して農園芸用機械の重心の位置が変化するが、ベルト３を本体１の第１及び第２のベルト取付部１ａ、１ｂに接続しているので、農園芸用機械の重心の位置にかかわらず安定して保持できる。
【００３１】
前記肩掛ベルト３が前記本体１に対して着脱可能であるので、緊急時に肩掛ベルト３を取り外すことにより利用者を本体１から離間させることができる。
【００３２】
そして、前記本体１の前記第１及び第２のベルト取付部１ａ、１ｂの間の部位にこの農園芸用機械を把持するための把持部たるグリップ７を設けているので、取り付けた作業部材に対応してグリップ７の把持位置を変更することにより、この農園芸用機械をさらに安定して保持させることができる。
【００３３】
なお。本発明は以上に述べた実施形態に限らない。
【００３４】
例えば、上述した実施形態では肩掛ベルトを本体の２箇所に接続しているが、本体の３箇所以上に接続するようにしてもよい。
【００３５】
また、作業部材を本体に着脱不能に固定した構成の農園芸用機械に本発明を適用してもよい。
【００３６】
さらに、肩掛ベルトを本体に着脱不能に固定したものであってもよい。
【００３７】
加えて、本体の第１及び第２のベルト取付部のうち少なくとも一方を複数箇所に設け、肩掛ベルトの一端部を複数設けた第１又は第２のベルト取付部のうちいずれか１つに選択的に取り付けるようにしてもよい。
【００３８】
操作を行うべく把持するためのグリップ等の把持部は、前記第１及び第２のベルト取付部の間の部位に限らず、場合によっては、第１又は第２のベルト取付部の双方よりも基端側、又は第１又は第２のベルト取付部の双方よりも先端側に設けるようにしてもよい。
【００３９】
第１及び第２のベルト取付部の双方を本体の軸回りに回転可能に取り付けるようにしてもよく、逆に、第１及び第２のベルト取付部の双方を本体の軸回りに回転不能に取り付けるようにしてもよい。
【００４０】
そして、小型エンジン等、バッテリモータ以外の動力源を利用して構成した動力部を用いてもよい。
【００４１】
その他、本発明の趣旨を損ねない範囲で種々に変形してよい。
【符号の説明】
【００４２】
１…本体
１ａ…第１のベルト取付部
１ｂ…第２のベルト取付部
２…刈込部材（作業部材）
３…肩掛ベルト
４…動力部
５…主軸部
【図１】
2011239699.tif 000003
【図２】
2011239699.tif 000004
【図３】
2011239699.tif 000005
【図４】
2011239699.tif 000006